(57)【要約】【課題】目的とするパターンで楽曲の再生テンポを変化させることができるようようにするための楽曲の再生指示情報を、使用者が直感的かつ簡易に生成できるようにする。【解決手段】テンポ曲線入力部３１を通じて、運動の負荷パターンであって、楽曲の再生テンポの変化パターンであるテンポ曲線が選択され、この選択されたテンポ曲線に対応付けて、テンポ曲線入力部３１を通じて再生すべき楽曲が選択される。選択されたテンポ曲線と選択された楽曲とに基づいて、選択された再生すべき楽曲の再生テンポが調整され、選択された再生すべき楽曲の再生順序と再生テンポを指示する再生指示情報としての再生楽曲リストが生成され、記憶保持される。【選択図】図１
2007242215.tif 000002
【特許請求の範囲】
【請求項１】
操作部と、
コンテンツを再生するときの再生テンポの変化を示す変化パターンを記憶する記憶部と、
前記操作部への入力に基づいて、一つの前記変化パターンを指定し、前記指定された変化パターンとコンテンツを対応付け、前記指定された変化パターンと前記対応付けられたコンテンツに基づいて、再生するコンテンツの再生順序と再生テンポとを再生部に指示するためのコンテンツ再生リストを生成する再生リスト生成部と、
を備えるコンテンツ再生リスト生成装置。
【請求項２】
請求項１記載のコンテンツ再生リスト生成装置は更に、
表示部を備え、
前記再生リスト生成部は、前記表示部に、前記変化パターンを、横軸を時間、縦軸を前記再生テンポとして２次元で表示させる
ことを特徴とする請求項１記載のコンテンツ再生リスト生成装置。
【請求項３】
前記再生リスト生成部は、前記操作部への入力に基づいて、前記指定された変化パターンについての調整を行う
ことを特徴とする請求項１記載のコンテンツ再生リスト生成装置。
【請求項４】
前記再生リスト生成部は、ユーザーの身体情報と前記コンテンツ再生リストに基づいて、前記コンテンツ再生リストに基づいて再生されるコンテンツに合わせてユーザーが運動したときの運動量を表す運動量情報を算出する
ことを特徴とする請求項１記載のコンテンツ再生リスト生成装置。
【請求項５】
請求項１記載のコンテンツ再生リスト生成装置は、更に、
表示部を備え、
前記再生リスト生成部は、前記変化パターンと対応付けることが可能なコンテンツの一覧を、前記一覧表示されるコンテンツそれぞれの平均テンポと再生時間と共に前記表示部に表示させ、前記操作部への入力に基づいて、前記一覧表示されるコンテンツのうち所定のコンテンツを前記変化パターンと対応付ける
ことを特徴とするコンテンツ再生リスト生成装置。
【請求項６】
請求項１記載のコンテンツ再生リスト生成装置は、更に、
表示部を備え、
前記再生リスト生成部は、前記変化パターンと対応付けることが可能なコンテンツの一覧を、前記一覧表示されるコンテンツそれぞれの平均テンポと再生時間の積である総テンポと共に、前記表示部に表示させ、前記操作部への入力に基づいて、前記一覧表示されるコンテンツのうち所定のコンテンツを前記変化パターンと対応付ける
ことを特徴とするコンテンツ再生リスト生成装置。
【請求項７】
請求項１記載のコンテンツ再生リスト生成装置は、更に、
表示部を備え、
前記再生リスト生成部は、前記変化パターンと対応付けることが可能なコンテンツをそれぞれ、平均テンポと再生時間の積である総テンポが面積で表された図形として、前記表示部に表示させ、前記操作部への入力に基づいて、前記表示される図形のうち所定の図形が選択されたとき、前記変化パターンと前記所定の図形に対応するコンテンツとを対応付ける
ことを特徴とするコンテンツ再生リスト生成装置。
【請求項８】
前記図形は、前記平均テンポと前記再生時間とを二辺とする長方形である
ことを特徴とする請求項７記載のコンテンツ再生リスト生成装置。
【請求項９】
前記再生リスト生成部は、ユーザーの身体情報と前記コンテンツ再生リストに基づいて、前記コンテンツ再生リストに基づいて再生されるコンテンツのうちの一つのコンテンツに呼応してユーザーが運動したときの運動量情報を算出する
ことを特徴とする請求項１記載のコンテンツ再生リスト生成装置。
【請求項１０】
請求項１記載のコンテンツ再生リスト生成装置は、更に、
表示部を備え、
前記再生リスト生成部は、前記変化パターンと対応付けることが可能なコンテンツを、前記表示部に表示させ、前記表示部に表示させるコンテンツの平均テンポと前記変化パターンの再生テンポとに基づいて、前記表示部に表示させるコンテンツの様態を変化させる
ことを特徴とする請求項１記載のコンテンツ再生リスト生成装置。
【請求項１１】
請求項１記載のコンテンツ再生リスト生成装置は更に、
前記コンテンツ再生リストに基づいて、コンテンツの再生順序と再生テンポと再生時間のうち少なくとも一つに関連する制御情報を生成するテンポコントロール部と、
前記制御情報に基づいてコンテンツを再生する再生部と、
を備えることを特徴とする請求項１記載のコンテンツ再生リスト生成装置。
【請求項１２】
操作部への入力に基づいて、コンテンツを再生するときの再生テンポの変化を示す変化パターンのうち一つの前記変化パターンを指定する変化パターン指定ステップと、
前記指定された変化パターンとコンテンツを対応付ける対応付けステップと、
前記指定された変化パターンと前記対応付けられたコンテンツに基づいて、再生するコンテンツの再生順序と再生テンポとを再生部に指示するためのコンテンツ再生リストを生成する再生リスト生成ステップと、
を備えるコンテンツ再生リスト生成方法。
【請求項１３】
請求項１２記載のコンテンツ再生リスト生成方法は更に、
前記変化パターンを、横軸を時間、縦軸を前記再生テンポとして２次元で表示部に表示させる表示ステップを備える
ことを特徴とする請求項１２記載のコンテンツ再生リスト生成方法。
【請求項１４】
請求項１２記載のコンテンツ再生リスト生成方法は更に、
前記操作部への入力に基づいて、前記指定された変化パターンについての調整を行う調整ステップを備える
ことを特徴とする請求項１２記載のコンテンツ再生リスト生成方法。
【請求項１５】
請求項１２記載のコンテンツ再生リスト生成方法は更に、
ユーザーの身体情報と前記コンテンツ再生リストに基づいて、前記コンテンツ再生リストに基づいて再生されるコンテンツに合わせてユーザーが運動したときの運動量を表す運動量情報を算出する再生リスト運動量情報算出ステップを備える
ことを特徴とする請求項１２記載のコンテンツ再生リスト生成方法。
【請求項１６】
請求項１２記載のコンテンツ再生リスト生成方法は更に、
前記変化パターンと対応付けることが可能なコンテンツをそれぞれ、平均テンポと再生時間の積である総テンポが面積で表された図形として、前記表示部に表示させる表示ステップ
を備え、
前記対応付けステップでは、前記操作部への入力に基づいて、前記表示される図形のうち所定の図形が選択されたとき、前記変化パターンと前記所定の図形に対応するコンテンツとを対応付ける
ことを特徴とする請求項１２記載のコンテンツ再生リスト生成方法。
【請求項１７】
前記図形は、前記平均テンポと前記再生時間とを二辺とする長方形である
ことを特徴とする請求項１６記載のコンテンツ再生リスト生成法。
【請求項１８】
請求項１２記載のコンテンツ再生リスト生成方法は更に、
前記変化パターンと対応付けることが可能なコンテンツを、前記表示部に表示させ、前記表示部に表示させるコンテンツの平均テンポと前記変化パターンの再生テンポとに基づいて、前記表示部に表示させるコンテンツの様態を変化させる表示ステップを
備えることを特徴とする請求項１２記載のコンテンツ再生リスト生成方法。
【請求項１９】
請求項１２記載のコンテンツ再生リスト生成方法は更に、
前記コンテンツ再生リストに基づいて、コンテンツの再生順序と再生テンポと再生時間のうち少なくとも一つに関連する制御情報を生成する制御情報生成ステップと、
前記制御情報に基づいてコンテンツを再生する再生ステップと、
を備えることを特徴とする請求項１記載のコンテンツ再生リスト生成方法。
【請求項２０】
操作部への入力に基づいて、コンテンツを再生するときの再生テンポの変化を示す変化パターンのうち一つの前記変化パターンを指定する変化パターン指定ステップと、
前記指定された変化パターンとコンテンツを対応付ける対応付けステップと、
前記指定された変化パターンと前記対応付けられたコンテンツに基づいて、再生するコンテンツの再生順序と再生テンポとを再生部に指示するためのコンテンツ再生リストを生成する再生リスト生成ステップと、
をコンピュータに実行させる、コンピュータが読み取り可能なプログラムが記録された記録媒体。
【発明の詳細な説明】
【技術分野】
【０００１】
この発明は、例えば、音響を再生する機能を備えた装置等において用いられる楽曲の再生指示情報を生成するための技術に関する。
【背景技術】
【０００２】
近年、小型化、軽量化された携帯型音響再生装置の普及にともなって、これまでになかった場面で様々な楽曲（音楽）が聴かれるようになってきている。例えば、携帯型音響再生装置を屋外に持ち出し、歩きながら楽曲を聴いたり、あるいは、健康維持、健康増進、ダイエットなどの目的で行うジョギング、ウォーキングなどのスポーツを行う際などにおいて楽曲を聞いたりすることが広く行われている。
【０００３】
この場合、再生される楽曲のテンポと自身の動作のテンポが一致する時に、ユーザーは自身の動作（運動）と楽曲（音楽）との一体感を得る。ここでの動作とは、例えば、歩行、ジョギング、ウォーキングなどの運動のことを指す。また、本明細書ではこれ以降、例えば、歩行、ジョギング、ウォーキングなどの運動や動作のテンポを、単に運動テンポと呼ぶ。動作（運動）と楽曲の一体感が得られるようにするため、再生される楽曲のテンポと使用者の運動テンポがずれたり、使用者の運動テンポが急に変化したりした場合にも、使用者の運動テンポを検出し、運動テンポの変化に応じて再生する楽曲のテンポを変化させる装置が考えられている。
【０００４】
なお、この明細書において、楽曲（音楽）のテンポ、楽曲（音楽）の再生テンポ、曲テンポという文言は、音楽データの再生時の速さであり、１分間あたりの拍の数（ＢＰＭ：Beat Per Minutes）を意味している。また、使用者の運動テンポは、具体的には、動作（運動）の速度である。例えば、使用者の動作（運動）がウォーキングやランニングなどの場合には、１分間あたりの歩数であり、また、動作がジャンプの場合には、運動テンポは、１分間当たりのジャンプの回数である。このように、運動テンポは、１分間当たりの使用者の計数可能な最小動作単位の数を意味している。
【０００５】
そして、後に記す特許文献１には、使用者が身体に装着した検出器により、動作（運動）にともなう振動や歩行のステップデータから動作あるいは歩行のペースを求めて、その変化に応じて楽曲の再生テンポを変化させる装置が開示されている。このような装置を用いることにより、再生される楽曲に合わせて、無理なく運動を継続したり、効率よく運動を行うことができたりするなどのことができるようにされる。
【０００６】
なお、上述した特許文献１は、以下の通りである。
【特許文献１】特開２００５−１５６６４１号公報
【発明の開示】
【発明が解決しようとする課題】
【０００７】
しかしながら、上述した特許文献１に記載の技術を用いて使用者（ユーザー）の運動テンポに合わせて楽曲の再生テンポを変化させる場合、再生テンポの変化に適した楽曲と適さない楽曲とがある。例えば、元々スローテンポの楽曲の再生テンポを使用者の運動テンポに応じて早くした場合に違和感を生じさせてしまったり、逆に、元々速いテンポの楽曲の再生テンポを使用者の運動テンポに応じて遅くした場合に間延びした感じを生じさせてしまったりといったことが発生する可能性がある。
【０００８】
このため、例えば、フィットネス用に一定テンポの楽曲を集めて、この集めた楽曲の再生テンポを運動テンポに追従するように変更して利用することが考えられる。これによって違和感の発生を抑制することができると考えられる。しかし、楽曲の好みは人それぞれであり、再生テンポの変更に適した一定テンポの楽曲を集めるために、自分の持っている様々なテンポの楽曲を十分に活用できない場合も生じると考えられる。
【０００９】
また、使用者の運動テンポに応じて楽曲の再生テンポを変更するという考え方とは逆に、運動を行う使用者が、目的とする運度効果を達成するために、所定の運動負荷が与えられるように種々の再生テンポの楽曲を再生したい場合もある。例えば、最初はゆっくりとした運動テンポで運動を開始し、その後、徐々に運動テンポを上げて行くことによって運動負荷を大きくして行き、運動テンポが一定値になった後に、運動テンポを徐々に下げて行くといったような所定の負荷パターンで運動を行いたいといった場合である。このような場合であっても、できれば使用者の好みに合った楽曲を再生できるようにすることが望ましい。
【００１０】
以上のことにかんがみ、この発明は、目的とするパターンで楽曲の再生テンポを変化させることができるようにするための楽曲の再生指示情報を、使用者が直感的かつ簡易に生成できるようにすることを目的とする。
【課題を解決するための手段】
【００１１】
上記課題を解決するため、請求項１に記載の発明のコンテンツ再生リスト生成装置は、
操作部と、
コンテンツを再生するときの再生テンポの変化を示す変化パターンを記憶する記憶部と、
前記操作部への入力に基づいて、一つの前記変化パターンを指定し、前記指定された変化パターンとコンテンツを対応付け、前記指定された変化パターンと前記対応付けられたコンテンツに基づいて、再生するコンテンツの再生順序と再生テンポとを再生部に指示するためのコンテンツ再生リストを生成する再生リスト生成部と、
を備えることを特徴とする。
【００１２】
この請求項１に記載の発明のコンテンツ再生リスト生成装置によれば、操作部を通じて受け付けたユーザーからの入力に基づいて、コンテンツの再生テンポの変化パターンが指定され、この変化パターンにコンテンツが対応付けられる。そして、当該変化パターンと当該変化パターンに対応付けられたコンテンツとに基づいて、再生するコンテンツの再生順序と再生テンポとを再生部に指示するための再生リスト瓦再生リスト生成部において生成される。
【００１３】
これにより、目的とする運動の負荷パターンであって、楽曲の再生テンポの変化パターンに対応付けて再生すべき楽曲を選択でき、しかも選択した楽曲の再生テンポを選択した再生テンポの変化パターンに基づいて調整し、選択した楽曲の再生順序と再生テンポとを示す楽曲再生リストを直感的かつ簡易に生成することができるようにされる。
【００１４】
そして、生成された楽曲再生リストに従って楽曲を再生した場合には、選択された楽曲が選択された順序に従って再生されると共に、選択された再生テンポの変化パターンに従って再生テンポが調整されて再生するようにされるので、使用者が目的とする負荷パターン（再生テンポの変化パターン）に従って運動を行うことができるように誘導することが可能となる。
【発明の効果】
【００１５】
この発明によれば、使用者が選択した１つ以上の楽曲を、使用者が選択した再生テンポの変化パターンにしたがって再生テンポを変化させて再生するための楽曲再生リストを直感的かつ簡易に生成することができる。また、生成された楽曲再生リストに従って楽曲を再生することにより、使用者が目的とする負荷パターン（再生テンポの変化パターン）に従って運動を行うように使用者の運動を誘導することができる。
【発明を実施するための最良の形態】
【００１６】
以下、図を参照しながら、この発明による装置、方法、プログラムの一実施の形態について説明する。なお、この発明は、楽曲再生リスト（所謂プレイリスト）の作成部分について特徴があるものであり、プレイリストの作成機能を有する種々の情報処理装置に適用可能なものである。しかし、以下に説明する実施の形態においては、作成したプレイリストの使用までをも明確に説明するために、この発明を音響再生装置に適用した場合を例にして説明する。
【００１７】
また、この発明が適用可能な音響再生装置としては、運動を行う使用者(ユーザー)によって持ち運ばれる携帯型のものであってもよいし、また、フィットネスクラブ等で用いられる音楽再生機能を備えたフィットネス機器であってもよいし、また、家庭などに設置されて利用されるＡＶ（Audio/Visual）機器などであってもよい。すなわち、携帯型、設置型を問わず、種々の音響再生装置にこの発明を適用可能である。しかし、以下に説明する実施の形態においては、説明を明確かつ簡単にするために、比較的に大きな表示画面を備えると共に、音響再生機能、情報入力機能、情報蓄積機能を備えた、携帯型の音響再生装置に、この発明を適用した場合を例にして説明する。
【００１８】
［音響再生装置について］
図１は、本実施の形態の音響再生装置を説明するためのブロック図である。図１に示す実施の形態の音響再生装置は、この発明の装置、方法、プログラムの一実施の形態が適用されたものである。図１に示すように、この実施の形態の音響再生装置は、制御部１０と、テンポ曲線データベース（以下、テンポ曲線ＤＢと略称する。）２１と、楽曲データベース（以下、楽曲ＤＢと略称する。）２２と、拡張プレイリスト格納部２３と、テンポ曲線入力部３１と、表示装置部４０と、テンポコントロール部５１と、音声出力装置部６０と、キー操作部７０と、外部インターフェース（以下、外部Ｉ／Ｆと略称する。）８１と、入出力端子８２と、通信インターフェース（以下。通信Ｉ／Ｆと略称する。）８３とを備えたものである。テンポ曲線入力部３１とキー操作部７０を合わせて、操作部９０とする。
【００１９】
制御部１０は、図１に示したように、ＣＰＵ（Central Processing unit）１１、ＲＯＭ（Read only memory）１２、ＲＡＭ（Random Access Memory）１３、不揮発性メモリ１４、再生リスト生成部１６が、ＣＰＵバス１５を通じて接続されて構成されたマイクロコンピュータであり、この実施の形態の音響再生装置の各部を制御するものである。
【００２０】
ここで、ＣＰＵ１１は、制御の主体となるものである。ＣＰＵ１１は、例えば、ＲＯＭ１２や不揮発性メモリ１４に記憶保持されているプログラムを読み出して実行する。ＣＰＵ１１は、これらの処理を実行することで、各部に供給する制御信号を形成する。そしてＣＰＵ１１は、形成した制御信号を関連する各部に供給することにより、各部を制御して、各部に目的とする処理を実行させることができる。またＣＰＵ１１は、各部からのデータの供給を受けて、これを処理し、記録媒体に記録したりするなどの処理を行う。
【００２１】
ＲＯＭ１２は、ＣＰＵ１１において実行するプログラムや処理に必要になる種々のデータを記憶保持するものである。ＲＡＭ１３は、処理の途中結果を一時記憶するなど、主にワークエリアとして用いられるものである。不揮発性メモリ１４は、ＥＥＰＲＯＭ（Electrically Erasable and Programmable ROM）やフラッシュメモリなどのものである。不揮発性メモリ１１は、電源が落とされた場合であっても保持しておくべきデータ、例えば、各種の設定パラメータ、処理プログラム、処理結果などを記憶保持するものである。再生リスト生成部１６は、操作部９０への入力に基づいて、コンテンツの再生リストを生成する。再生リスト生成部１６についての詳細は、後述する。
【００２２】
テンポ曲線ＤＢ２１、楽曲ＤＢ２２、拡張プレイリスト格納部２３のそれぞれは、比較的に大きな記憶容量を備え、種々の情報を記憶保持することができる記録媒体を備えた記録媒体ドライブである。利用可能な記録媒体としては、例えば、ハードディスク、記録可能なＤＶＤ（Digital Versatile Disc）などの光ディスク、ＭＤ（Mini Disc（登録商標））等の光磁気ディスク、半導体メモリ、ＩＣカードメモリなど種々のものがある。この実施の形態においては、テンポ曲線ＤＢ２１、楽曲ＤＢ２２、拡張プレイリスト格納部２３のそれぞれは、記録媒体としてハードディスクが用いられたハードディスクドライブである。
【００２３】
なお、この実施の形態においては説明を簡単にするため、図１に示したように、テンポ曲線ＤＢ２１、楽曲ＤＢ２２、拡張プレイリスト格納部２３のそれぞれは、別々のハードディスクに形成されるものとして説明する。しかし、ハードディスクの記憶容量は年々大きくなり、その一方で小型化も進められており、テンポ曲線ＤＢ２１、楽曲ＤＢ２２、拡張プレイリスト格納部２３の複数のデータベースや情報の保持部を１つのハードディスクに形成することも可能である。
【００２４】
そして、この実施の形態において、テンポ曲線ＤＢ２１は、使用者に対して与えるべき運動の負荷パターンであって、再生される楽曲のテンポの変化を示す再生テンポの変化パターンを、記憶保持するものである。再生テンポの変化パターンは、横軸を時間、縦軸をテンポとして表される直線や曲線からなるテンポ曲線で表される。テンポ曲線ＤＢ２１は、複数の再生テンポの変化パターンに対応する複数のテンポ曲線を記憶保持している。テンポ曲線ＤＢ２１の詳細は、後述する。
【００２５】
楽曲ＤＢ２２は、この実施の形態の音響再生装置で再生可能な楽曲データ、若しくは、音楽データを記憶保持するものである。なお、詳しくは後述もするが、楽曲ＤＢ２２の楽曲データには、再生テンポや再生時間などの情報がメタデータとして付加されている。また、拡張プレイリスト格納部２３は、使用者によって選択されたテンポ曲線とこれに対応付けて選択された１曲以上の楽曲とに基づいて、再生リスト生成部１６によって再生テンポが調整されて形成される拡張プレイリスト（楽曲再生リスト）を記憶保持する。
【００２６】
このように、テンポ曲線ＤＢ２１、楽曲ＤＢ２２、拡張プレイリスト格納部２３はそれぞれ、楽曲の再生に関して必要になる種々の情報や楽曲データそのものを記憶保持するものである。
【００２７】
そして、テンポ曲線入力部３１は拡張プレイリストを作成するための種々の情報の入力を受け付けて、受け付けた情報を、制御部１０や再生リスト生成部１６に供給するものである。拡張プレイリストを作成するための種々の情報には、例えば、テンポ曲線の選択入力、選択されたテンポ曲線に対応付けた楽曲の選択入力などがある。具体的には、マウスやトラックボール、トラックパッドなどと呼ばれるポインティングデバイスや、必要に応じて矢印キーや確定キー等の操作キーなどをも備えたものである。
【００２８】
表示装置部４０は、図１に示すように、表示部４１と表示回路４２とを備えたものである。表示回路４２は、制御部１０から種々の映像データの供給を受けて、これをアナログ映像信号に変換して表示部４１に供給する。表示回路４２に供給された映像データがデータ圧縮されたものである場合には、データ圧縮された映像データのデコード処理も表示回路４２において行われる。
【００２９】
表示部４１は、ＬＣＤ（Liquid Crystal Display）、有機ＥＬ（Electro Luminescence）ディスプレイ、ＣＲＴ（Cathode-Ray Tube）等の表示素子であり、比較的に大きな表示画面を有するものである。表示装置部４０の表示部４１の表示画面には、制御部１０の制御に応じて、種々のガイダンス情報、メッセージ情報等の他、映像コンテンツなども表示することができる。
【００３０】
テンポコントロール部５１は、例えば、拡張プレイリスト格納部２３に格納されている拡張プレイリストに従って楽曲を再生する場合において、再生すべき楽曲データを楽曲ＤＢ２２から読み出して音声出力装置部６０に供給すると共に、当該楽曲データの再生テンポを拡張プレイリストに従って音声出力装置部６０に対して指示する。
【００３１】
音声出力装置部６０は、スピーカ６１と音声処理部６２とを備えたものである。音声処理部６２は、テンポコントロール部５１及び制御部１０を通じて楽曲データ等の音声データや再生テンポを指示する制御情報等の供給を受ける。音声出力装置部６０は、供給された楽曲データ等の音声データや再生テンポを指示する制御情報等に基づいてスピーカ６１に供給する形式のアナログ音声信号を形成し、このアナログ音声信号をスピーカ６１に供給する。これにより、スピーカ６１からは、音声処理部６２からのアナログ音声信号に応じた音声が放音される。また、音声処理部６２に供給された音声データがデータ圧縮されたものである場合には、データ圧縮された音声データのデコード処理も音声処理部６２において行われる。
【００３２】
なお、音声出力装置部６０は、スピーカ６１を備えるものとして説明したが、これに限るものではない。この実施の形態の音響再生装置の場合には、スピーカ６１に代えてヘッドホンを音声処理部６２に接続することも可能である。このように、音声処理部６２に対してヘッドホンを接続することで、ユーザーは、当該ヘッドホンを通じて再生される再生音声を聴取することができる。
【００３３】
また、キー操作部７０は、楽曲の利用に関連し、再生キー、停止キー、早送りキー、早戻しキー、一時停止キー等の種々の操作キーや、数字キー、矢印キー、その他のファンクションキーなどの操作キーが設けられたものである。キー操作部７０は、使用者からの種々の入力操作を受け付けて、これを電気信号として制御部１０に供給することができる。制御部１０は、キー操作部７０に対する使用者からの入力操作に応じて各部を制御し、使用者の意図する処理を行うことができるようにしている。
【００３４】
また、外部Ｉ／Ｆ８１、外部入出力端子８２は、種々の外部機器とこの実施の形態の音響再生装置とを接続するためのものである。本実施の形態の音響再生装置は、外部入出力端子８２を介して接続された外部機器から楽曲データの供給を受けたり、また、外部機器に自己の楽曲データを供給してバックアップを取ったりすることができる。
【００３５】
通信Ｉ／Ｆ８３は、インターネットなどのネットワークに接続して通信を行うためのものである。本実施の形態の音響再生装置は、通信Ｉ／Ｆ８３を通じて、例えばインターネットなどの所定のネットワークに接続し、目的とする楽曲データをサーバ装置からダウンロードしたり、楽曲データについてのメタデータを取得したりすることができる。
【００３６】
そして、この実施の形態の音響再生装置は、外部入出力端子８２及び外部Ｉ／Ｆ８１を通じてパーソナルコンピュータなどの外部機器から提供を受けた楽曲データや、通信Ｉ／Ｆ８３を介して、インターネットなどのネットワーク上のサーバ装置から提供を受けた楽曲データを、楽曲ＤＢ２２に記憶保持する。
【００３７】
ユーザーは、キー操作部７０を通じて所定の操作を行うことにより、楽曲ＤＢ２２に記憶保持された楽曲データの中から目的とする楽曲データを読み出して再生することができる。制御部１０は、ユーザーからのキー操作部７０への所定の操作に基づいて、楽曲ＤＢ２２に記憶保持している楽曲データの一覧リストを表示装置部４０の表示部４１の表示画面に表示する。、ユーザーは、キー操作部７０を通じて、表示された楽曲データの一覧リストから、目的とする楽曲データを選択する。
【００３８】
選択された楽曲データは、制御部１０によって楽曲ＤＢ２２から読み出されて、音声出力装置部６０に供給される。音声出力装置部６０では、音声処理部６２が供給された楽曲データからスピーカ６１に供給するアナログ音声信号を形成し、形成したアナログ音声信号をスピーカ６１に供給する。目的とする楽曲データに応じた音声がスピーカ６１から放音され、使用者によって選択された楽曲データが再生される。
【００３９】
さらに、この実施の形態の音響再生装置は、プレイリストを作成し、作成した楽曲再生リストに従って楽曲データを再生することもできる。この実施の形態の音響再生装置は、使用者が好みの楽曲を好みの順番で再生するためのプレイリストだけでなく、ユーザーが目的とする負荷の運動を行うことができるように、再生する楽曲の再生テンポを変更するための情報を含む拡張プレイリストを形成することができる。
【００４０】
再生される楽曲を聴きながら、ウォーキングやジョギング等の運動を行う場合があるが、再生される楽曲の再生テンポに応じた運動テンポで運動を行うことで運動が誘導され、使用者がスムーズに運動を行うことができる場合がある。
【００４１】
更に、使用者によっては、目的とする負荷パターンで運動を行いたい場合もある。例えば、まず、ゆっくりとした運動テンポで運動を開始し、徐々に運動テンポを上げて行って所定値まで運動テンポを上げた後に、徐々に運動テンポを下げて行くように運動を行いたい場合などが考えられる。あるいは、所定の運動テンポで一定時間運動した後に（ウォーミグアップした後に）、比較的早い運動テンポで一定時間運動を行い（本トレーニングを行い）、この後、比較的遅い所定の運動テンポで一定時間運動を行いたい（クールダウンを行いたい）場合なども考えられる。
【００４２】
そこで、この実施の形態の音響再生装置においては、予め選択可能な複数の負荷パターンを用意しておき、ユーザーが、目的とする負荷パターンを選択することができるようにしている。ユーザーが選択した負荷パターンは、即ち、再生される楽曲のテンポの変化を示す再生テンポの変化パターンである。この再生テンポの変化パターンに対応付けて再生する楽曲を選択することで、再生する楽曲、再生順序を指定すると共に、選択された各楽曲の再生テンポや再生時間などを再生テンポの変換パターン（運動の負荷パターン）に応じて調整した拡張プレイリストを形成することができるようにしている。
【００４３】
このような拡張プレイリストに従って再生される楽曲の再生テンポに対して運動テンポを合わせて運動を行うことによって、使用者は、ウォーキングやジョギング等の種々の運動を、目的とする負荷パターンに従った負荷を加えながら、行うことができるようにしている。
【００４４】
［音響再生装置の発明に係る主要な部分の概略］
次に、この発明に係る主要な部分として、拡張プレイリストイの作成にかかる部分と、拡張プレイリストを用いて楽曲の再生を行う部分の概略を、図２を参照しながら説明する。図２は、図１に示したこの実施の形態の音響再生装置において、この発明に係る主要な部分の概要を説明するためのブロック図である。
【００４５】
図１にも示したように、この実施の形態の音響再生装置は、拡張プレイリストの作成部として、再生リスト生成部１６と、テンポ曲線ＤＢ２１と、楽曲ＤＢ２２と、拡張プレイリスト格納部２３と、テンポ曲線入力部３１、表示装置部４０である表示部４１と表示処理部４２とを備えている。また、作成された拡張プレイリストに応じた楽曲再生部として、楽曲ＤＢ２２と、拡張プレイリスト格納部２３と、テンポコントロール部５１と、楽曲再生部としての音声出力装置部６０であるスピーカ６１と音声処理部６２とを備えている。
【００４６】
テンポ曲線は、使用者に対して与えるべき運動の負荷パターンであり、再生される楽曲のテンポの変化を示す再生テンポの変化パターンである。テンポ曲線は、この運動の負荷パターン又は再生テンポの変化パターンを、横軸を時間、縦軸をテンポとして表した直線や曲線からなるものである。テンポ曲線ＤＢ２１は、複数の再生テンポの変化パターンに対応する複数のテンポ曲線を記憶保持している。
【００４７】
図３は、テンポ曲線ＤＢ２１に記憶保持されている、テンポ曲線の例を説明するための図である。テンポ曲線は、上述もしたように、運動を行う使用者から見れば運動の負荷パターンであり、再生される楽曲側から見ると再生テンポの変化パターンである。そして、負荷パターンに対応して運動を行うようにする種々の運動モードが存在し、また、再生テンポの変化パターンに対応して楽曲を再生する種々の再生モードが存在することになる。
【００４８】
例えば、代表的なものとしては、図３Ａのヒルモード、図３Ｂのランダムモード、図３Ｃの複合運動モード、図３Ｄの一定モード等がある。
【００４９】
ここで、ヒルモードは、ヒルパターンに従って運動を行ったり、楽曲を再生したりするモードである。ヒルモードは、図３Ａに示したように、時間の経過にしたがって、テンポが徐々に増加していき、テンポが所定値に達した後、テンポが徐々に軽減して行くモードである。また、ランダムモードは、ランダムパターンに従って運動を行ったり、楽曲を再生したりするモードであり、図３Ｂに示したように、時間の経過にしたがって、テンポがランダムに変化するモードである。
【００５０】
また、複合運動モードは、複合運動パターンに従って運動を行ったり、楽曲を再生したりするモードである。複合運動モードは、図３Ｃに示したように、時間の経過にしたがって、比較的に遅いテンポが一定時間継続し、次に早いテンポが一定時間継続し、最後に遅いテンポが一定時間継続するモードであり、換言すれば、テンポが異なることにより、ユーザーが負荷の異なる運動を複合して行うことができモードである。また、一定モードは、一定パターンに従って運動を行ったり、楽曲を再生したりするモードであり、図３Ｄに示したように、常時一定のテンポを維持するモードである。
【００５１】
この図３Ａ〜図３Ｄに示したように、横軸を時間、縦軸をテンポとして表現された種々のテンポ曲線が、テンポ曲線ＤＢ２１には予め記憶保持されている。
【００５２】
また、楽曲ＤＢ２２は、上述もしたように、この実施の形態の音響再生装置で再生可能な楽曲データ（音楽データ）を記憶保持するものである。図４は、この実施の形態の音響再生装置の楽曲ＤＢ２２に記憶保持されているデータベースの内容を説明するための図である。
【００５３】
図４に示すように、楽曲ＤＢ２２には、記憶保持されている楽曲毎に、楽曲識別情報である楽曲ＩＤと、アーティスト名と、曲名と、アルバム名と、再生テンポとが対応付けられたデータベースが形成されている。すなわち、図４において、楽曲ＩＤが「１」の楽曲は、アーティストが「ＳＳＳ」で、曲名が「Ｋ１」で、アルバム名が「Ｋ」で、テンポが「１２７」の楽曲である。このように、楽曲ＤＢ２２には、この実施の形態の音響再生装置において再生可能な 楽曲のそれぞれについて、楽曲ＩＤ、アーティスト名、曲名、アルバム名、テンポが記憶保持される。この他、楽曲ＩＤによって特定される楽曲データの実データも、この楽曲ＤＢ２２に記憶保持されている。
【００５４】
そして、詳しくは後述するが、図２にも示したように、ユーザーは、テンポ曲線入力部３１を通じてテンポ曲線を選択すると共に、この選択したテンポ曲線に対応付けて、再生すべき楽曲を選択する。再生リスト生成部１６は、このようにして選択されたテンポ曲線と１曲以上の楽曲とから拡張プレイリストを生成して、これを拡張プレイリスト格納部２３に格納する。
【００５５】
図５は、拡張プレイリストの一例を説明するための図である。図５Ａ、図５Ｂに示すように、拡張プレイリストは、楽曲ＩＤ欄とテンポ・リスト欄とからなる。図５Ａ、図５Ｂにおいて、楽曲ＩＤ欄の数字は再生する楽曲を一意に特定する楽曲ＩＤである。テンポ・リスト欄の１．０以下の値は楽曲内の割合を示しており、例えば、０．５という値は楽曲内の５０％の部分を表している。また、テンポ・リスト欄の１．０より大きな数値はテンポを示している。
【００５６】
そして、図５Ａは、テンポ曲線として複合運動モードが選択され、この複合運動モードに対応付けて楽曲を選択することによって生成された拡張プレイリストの一例を示している。この図５Ａに示す拡張プレイリストの場合、まず、音声出力装置部６０は、楽曲ＩＤが「１１」の楽曲データを再生するが、その再生テンポは、初めから０．５まで、即ち、初めから５０％の部分までは、再生テンポを「１０６」で再生し、０．５以降１．０まで、すなわち０．５以降最後までは再生テンポを「１１５」で再生する。
【００５７】
次に、音楽出力装置部６０は、楽曲ＩＤが「５６」の楽曲データを再生するが、その再生テンポは、初めから０．３までは、再生テンポを「１１５」で再生し、０．３以降０．９までは、再生テンポを「１２０」で再生し、０．９以降最後までは、再生テンポを「１２５」で再生する。
【００５８】
そして、音楽出力装置部６０は、楽曲ＩＤが「５７」の楽曲データと楽曲ＩＤが「２３」の楽曲データとのそれぞれを、最初から最後まで、再生テンポを「１２５」で再生した後に、楽曲ＩＤが「７」の楽曲データを再生するが、その再生テンポは、初めから０．５までは、再生テンポを「１２５」で再生し、０．５以降０．９までは、再生テンポを「１１０」で再生する。最後に、音楽出力装置部６０は、楽曲ＩＤが「１０１」の楽曲データを再生するが、その再生テンポは、初めから最後まで、再生テンポを「１１０」で再生する。
【００５９】
このように、図５Ａに示した拡張プレイリストの場合には、複合運動モードに対応付けられて選択された楽曲が、その再生テンポを当該複合運動モードに応じて変化させながら再生することができるものである。
【００６０】
また、図５Ｂは、テンポ曲線としてヒルモードが選択され、このヒルモードに対応付けて楽曲を選択することによって再生リスト生成部１６が生成した拡張プレイリストの一例を示している。この図５Ｂに示す拡張プレイリストの場合には、音楽出力装置部６０は、まず、楽曲ＩＤが「１０」の楽曲データを再生するが、その再生テンポは、０．０〜１．０、即ち、最初から最後までの間において、「１２５」〜「１３５」まで徐々に上がって行く。音楽出力装置部６０は、次に、楽曲ＩＤが「２３」の楽曲データを再生するが、その再生テンポは、最初から０．５までの間において、「１３５」〜「１４５」まで徐々に上がっていくようにされる。
【００６１】
次に、楽曲再生部は、楽曲ＩＤが「５１」の楽曲データを再生するが、その再生テンポは、０．４以降 １．０までの間において、「１４５」〜「１３５」まで徐々に下がって行くようにされ、次に、楽曲ＩＤが「６０」の楽曲データを再生するが、その再生テンポは、０．２以降０．７までの間において、「１３５」〜「１２５」まで徐々に下がって行くようにされる。
【００６２】
このように、図５Ｂに示した拡張プレイリストの場合には、音楽出力装置部６０は、ヒルモードに対応付けられて選択された楽曲の再生テンポを、当該ヒルモードに応じて変化させながら再生することができる。なお、後述もするが、再生リスト生成部１６は、図５Ｂに示したように、目的とする１曲分の楽曲の最初から最後までを、再生テンポを所定の範囲で変化させながら再生するようにする拡張プレイリストを作成することも可能であるし、また、最初から５０％の部分、最初から４０％の部分以降の６０％の部分、最初から２０％の部分以降の５０％の部分というように、目的とする楽曲の任意の部分について、再生テンポを変化させながら再生するように制御する拡張プレイリストを作成することも可能である。
【００６３】
そして、拡張プレイリスト格納部２３に記憶された拡張プレイリストを用いて実際に楽曲データを再生する場合、音声出力装置部６０は、テンポコントロール部５１が機能することで再生テンポを変化させながら目的とする楽曲データを再生することができる。
【００６４】
すなわち、テンポコントロール部５１は、拡張プレイリスト格納部２３に格納されている目的とする拡張プレイリストを参照し、当該拡張プレイリストにおいて指示されている順番で楽曲データを楽曲ＤＢ２２から読み出し、読み出した楽曲データと、参照している拡張プレイリストの該当するテンポ・リスト欄の情報とを音声出力装置部６０に供給する。これにより、音声出力装置部６０を通じて、拡張プレイリストに応じた楽曲データがその再生テンポと再生時間とが制御されて再生することができるようにされる。
【００６５】
なお、ユーザーは、テンポ曲線入力部３１を通じて、テンポ曲線や楽曲の選択だけでなく、テンポ曲線のパラメータを変更することもできる。すなわち、使用者がテンポ曲線ＤＢ２１からテンポ曲線のパターンを選択し、テンポ曲線のパラメータを変更した後、楽曲ＤＢ２２から楽曲を選択してテンポ曲線に当てはめることで、再生リスト生成部１６は、再生する楽曲のリストとそれぞれの楽曲の再生時のテンポからなる拡張プレイリストを作成する。通常のプレイリストは楽曲の再生順序を示すリストであるが、図５に示したように、拡張プレイリストはこれに再生テンポのリストなどがつく。
【００６６】
そして、テンポコントロール部５１は、テンポ曲線入力部３１を通じて入力された情報に基づいて再生リスト生成部１６が作成した拡張プレイリストを実行し、楽曲と再生時のテンポを楽曲再生部としての音声出力装置部６０に送る。音声出力装置部６０は、テンポコントロール部５１からの楽曲データと再生テンポと、当該楽曲のメタデータとして得られる元々のテンポから、（再生テンポ）／（テンポ）のスピードで再生する。
【００６７】
［拡張プレイリスト作成時の処理について］
次に、この実施の形態の音響再生装置における拡張プレイリストの作成処理について、図６のフローチャート、図７〜図９の表示画面の例を参照しながら説明する。
【００６８】
図６は、この実施の形態の音響再生装置において、拡張プレイリストの作成処理を説明するためのフローチャートである。図６に示す処理は、テンポ曲線入力部３１を通じて拡張プレイリストの作成処理を行うようにする指示入力が受け付けられた場合に、主に制御部１０、特に再生リスト生成部１６において実行される処理である。
【００６９】
まず、ステップＳ１０１において、再生リスト生成部１６は、拡張プレイリストの作成指示入力を受け付けると、表示装置部４０に対して必要な表示情報を供給し、図７に示すようなテンポ曲線の入力画面を表示部４１の表示画目に表示し、目的とするテンポ曲線の選択入力を受け付ける。
【００７０】
図７に示すテンポ曲線の入力画面は、最上段の左側部分に、楽曲リストのソート順選択領域４１ａが、また、最上段の右側部分には、テンポ曲線選択領域４１ｂが設けられたものである。また、ソート順選択領域４１ａの下側には、楽曲リスト表示領域４１ｃが設けられ、テンポ曲線選択領域４１ｂの下側には、テンポ曲線表示領域４１ｄが設けられる。また、楽曲リスト表示領域４１ｃの下側には、楽曲リストをスクロールするためのスライダ４１ｅが設けられている。
【００７１】
そして、ステップＳ１０１においては、テンポ曲線選択領域４１ｂに左から順に並べられて表示された一定モード、複合運動モード、ヒルモード、ランダムモードという４つのモードの中から、使用者が目的とするモードの選択入力をテンポ曲線入力部３１が受け付ける。図７の場合には、テンポ曲線選択領域４１ｂにおいて、左から２番目に表示されている複合運動モードが選択された場合を示している。
【００７２】
この場合、ステップＳ１０２において、再生リスト生成部１６は、表示装置４０を制御して、選択されたテンポ曲線の基本パターン表示を、表示部４１の表示画面の選択テンポ曲線表示領域４１ｄに表示し、選択されたテンポ曲線に対するパラメータの変更入力を受け付ける。ステップＳ１０２では、例えば、図７の選択テンポ曲線表示領域４１ｄに表示された両矢印が示すように、テンポ曲線入力部３１を通じて、選択されたテンポ曲線の基本パターン表示を変更して、選択したテンポ曲線についてのパラメータの変更を行うことができるようにされる。この選択したテンポ曲線についてのパラメータの変更によって、ユーザーは、例えば、テンポを調整して運動負荷を変えたり、一定のテンポを継続させる時間を調整したりすることができる。
【００７３】
ステップＳ１０２の処理の後、ステップＳ１０３において、左側の楽曲リスト表示領域に表示される楽曲リストから、目的とする楽曲の選択入力がテンポ曲線入力部３１を通じて受け付けられる。ステップＳ１０３の楽曲の選択では、例えば、左最上段のソート順選択領域４１ａに表示されている曲名順、歌手名順、テンポ順の何れかを選択することによって、再生リスト生成部１６は、選択された順序に楽曲リストを整列させることができる。更に、ユーザーは、スライダ４１ｅを操作することによって、目的とする楽曲を迅速に見つけ出して、選択することができる。
【００７４】
図７〜図９に示すテンポ曲線の入力画面では、表示部４１が、楽曲リスト表示領域４１ｃに表示する楽曲を、テンポ順に並べて表示している場合を示している。更に、表示部４１は、各楽曲を横軸が時間で縦軸が平均テンポの矩形によって表示するようにしている。これにより、ユーザーは、楽曲の再生時間と平均テンポとを視覚を通じてより直接的に、選択したテンポ曲線に合致する楽曲を選択することができる。
【００７５】
そして、ステップＳ１０３の処理では、ユーザーが、テンポ曲線入力部３１を通じて、図８に示すように、楽曲リスト表示領域４１ｃに矩形表示されている楽曲リストの中の目的とする楽曲の矩形にカーソルＣＳを位置付けると、制御部１０は、選択された楽曲の詳細情報を楽曲ＤＢ２２から取得し、これを入力画面の左最下欄の楽曲情報表示領域４１ｇに表示する。図８の表示例の場合には、アーティスト名「ＸＸＸ」、曲名「ＹＹＹ」、発表年「２００５」の情報が楽曲情報表示領域４１ｇに表示された場合を示している。
【００７６】
そして、ステップＳ１０４では、カーソルＣＳを位置付けることにより選択した楽曲について、ユーザーがテンポ曲線入力部３１を通じて、選択テンポ曲線表示領域４１ｄに表示されたテンポ曲線における移動先を指定することによって、テンポ曲線に対応させて矩形で示された楽曲の図形が選択テンポ曲線表示領域４１ｄに表示される。このとき、楽曲の再生時間と平均テンポの積は楽曲全体の歩数を表すので、楽曲の平均テンポと異なるテンポ曲線の部分に移動させたときには、移動先の図形の面積が元の図形と同じになるようにする。テンポ曲線の面積を、楽曲の面積で埋めていけば良いので、適切な楽曲の選択を直感的に行うようにすることができる。これにより、テンポ曲線に対応付けた楽曲の選択入力が完了する。
【００７７】
具体的には、ユーザーは、まずカーソルＣＳを位置付けることにより矩形表示された楽曲を選択し、これをいわゆるドラック・アンド・ドロップ操作により、テンポ曲線に対応付けた所定の位置に位置付けることで、目的とする楽曲をテンポ曲線に対応付けて選択することができる。あるいは、ユーザーは、カーソルＣＳを位置付けることにより矩形表示された楽曲を選択した後に、さらにテンポ曲線における対応付け位置を選択することで、目的とする楽曲をテンポ曲線に対応付けて選択することができる。これにより、図８の中央部分に示した大きな矢印が示すように、選択テンポ曲線表示領域４１ｄが、テンポ曲線に対応させて、選択した楽曲の矩形図形を表示することができる。
【００７８】
そして、ステップＳ１０５において、制御部１０は、選択してテンポ曲線に対応付けた楽曲のフィットネス情報を表示する。楽曲のフィットネス情報は、例えば、図８の選択テンポ曲線表示領域４１ｄの楽曲のフィットネス情報表示４１ｆに示されるものである。楽曲のフィットネス情報は、選択された楽曲をテンポ曲線に応じた再生テンポで再生し、これに合わせて使用者が運動を行ったと仮定した場合の、消費カロリ、総歩数、移動距離を制御部１０が算出し、算出結果を表示装置部４０に供給して表示するようにしたものである。
【００７９】
図８に示した例の場合には、３曲目の楽曲として、テンポ曲線に対応付けられて選択された楽曲のフィットネス情報（運動量情報）は、消費カロリが１５ｋｃａｌ（キロカロリー）、歩数が６００歩、距離が４２０ｍ（メートル）であることが示されている。これにより、使用者は選択した楽曲毎に、その楽曲に合わせて運動を行った場合のフィットネス情報（運動量情報）を知ることができる。
【００８０】
この後、ステップＳ１０６において、再生リスト生成部１６は、選択したテンポ曲線に応じて運動を行った場合のフィットネス情報を表示する。テンポ曲線のフィットネス情報は、図８の選択テンポ曲線表示領域４１ｄ下に、テンポ曲線のフィットネス情報表示４１ｈとして示されている。テンポ曲線のフィットネス情報は、選択された全ての楽曲をテンポ曲線に応じた再生テンポで再生し、これに呼応して使用者が運動を行ったと仮定した場合の、消費カロリ、総歩数、移動距離であり、制御部１０はこれを算出し、算出結果を表示装置部４０に供給して表示するようにする。
【００８１】
図８に示した例の場合、テンポ曲線のフィットネス情報は、消費カロリが２０ｋｃａｌ（キロカロリー）、歩数が１０００歩、距離が７００ｍ（メートル）であることが示されている。これにより、選択したテンポ曲線に対応付けるようにして選択した１曲以上の楽曲を順次に再生し、これに合わせて運動した場合における総運動量を、消費カロリ、歩数、距離として表示し、使用者に通知することができるようにされる。
【００８２】
そして、ステップＳ１０７において、再生リスト生成部１６は、例えば、テンポ曲線入力部３１を通じたユーザーからの終了操作を受け付けたか否かを判断する。ステップＳ１０７の判断処理において、まだ、終了操作を受け付けていないと判断したときには、ステップＳ１０３からの処理を繰り返し、楽曲の選択とテンポ曲線への対応付けを行う処理を繰り返す。
【００８３】
ステップＳ１０７の判断処理において、再生リスト生成部１６が終了操作を受け付けたと判断したときには、図６に示した処理を終了する。再生リスト生成部１６は、選択されたテンポ曲線とこれに対応付けるようにして選択された楽曲とに基づいて、図５を用いて説明したような拡張プレイリストを生成して拡張プレイリスト格納部２３に格納する。
【００８４】
このようにして、この実施の形態の音響再生装置の使用者は、自己が行おうとする運動の負荷パターン、即ち、再生される楽曲のテンポの変化を示す再生テンポの変化パターンを選択することができる。また、ユーザーは、この再生テンポの変化パターンを表すテンポ曲線に対応させて、目的とする楽曲を選択していくこで、選択した再生テンポの変化パターンと選択した楽曲とに応じて、拡張プレイリストを形成し、これを用いることができる。
【００８５】
本実施の形態の音響再生装置においては、再生テンポの変化パターンを表すテンポ曲線の選択も、これに対応付けて選択する楽曲の選択も、ユーザーは、複雑な操作を行うことなく、カーソルを位置付けることによる確定操作や、いわゆる、ドラック・アンド・ドロップ操作などの簡単な操作によって行うことができる。
【００８６】
また、図７、図８を用いて説明した例は、テンポ曲線として、複合運動パターンを選択した場合を例にして説明した。しかし、例えば、ヒルパターンなどを選択した場合であっても、符号運動パターンを選択した場合における処理とほぼ同様の処理を行うことにより、ユーザーは、ヒルパターンに応じた楽曲選択を行うこができ、再生リスト生成部１６は、これらに応じた拡張プレイリストを生成して格納することができる。
【００８７】
すなわち、図９に示すように、テンポ曲線としてヒルモードを選択した場合であってもユーザーは、ヒルモードに対応付けるようにして、楽曲を選択することができる。この場合、楽曲の再生時間と平均テンポの積は楽曲全体の歩数を表すので、楽曲の平均テンポと異なるテンポ曲線の部分に移動させたときには、再生リスト生成部１６は、移動先の図形の面積が元の図形と同じになるようにする。
【００８８】
テンポ曲線がヒルモードの場合、どの部分に楽曲を対応付けても、テンポが所定の間一定であるときがない。しかし、このような場合であっても、再生リスト生成部１６は、そのテンポ曲線に対応付けた部分の当該楽曲に対応する図形の面積が、元の図形の面積と同じになるようにする。この場合にも、テンポ曲線の面積を、楽曲に対応する矩形などの図形の面積で埋めていけば良いので、ユーザーは、適切な楽曲の選択を直感的に行うようにすることができる。
【００８９】
なお、拡張プレイリストは、選択されたテンポ曲線と、テンポ曲線に対応付けて選択される楽曲とに基づいて、再生テンポや再生時間が必要に応じて調整されて生成されるものである。このため、選択した楽曲を、選択したテンポ曲線に対応付ける場合に、選択した楽曲が選択した楽曲の平均テンポと全く違うテンポのテンポ曲線部分に対応付け（位置付け）られ、これに応じて拡張プレイリストが生成されることも考えられる。このような拡張プレイリスト応じて楽曲を再生した場合、再生テンポが元のテンポと異なりすぎているために、楽曲の印象が全く異なってしまう場合がある。
【００９０】
そこで、再生リスト生成部１６は、選択した楽曲の元々の再生テンポと、対応付けるテンポ曲線の部分のテンポとの差を明確に使用者に通知することができる。再生リスト生成部１６は、楽曲の平均テンポと、これを対応付けるテンポ曲線の部分のテンポとの差が、例えば１０％以下のときは図形の色を緑、１０％〜２０％のときは黄、２０％以上のときは赤となるようにし、テンポ差の程度を表示する図形の様態を変化させることで、使用者に通知することができる。また、あまりテンポ差が大きい時には、選択した楽曲の変更など、必要な対応を柔軟に取れるようにしておくようにしてもよい。
【００９１】
［フィットネス情報（運動量情報）の算出について］  
再生リスト生成部１６は、図６のステップＳ１０５の処理、図８の楽曲のフィットネス情報表示４１ｆで説明したように、選択された楽曲のフィッ トネス情報を表示装置４０に表示させ、また、図６のステップＳ１０６の処理、図８のテンポ曲線のフィットネス情報表示４１ｈで説明したように、選択されたテンポ曲線に対応付けて選択された全ての楽曲に呼応して運動した場合のフィットネス情報を表示装置４０に表示させることができる。
【００９２】
このように表示されるフィットネス情報（運動量情報）の内、歩数は楽曲の時間と平均テンポの積として求められ、また、距離は歩数と使用者の歩幅との積として求めることができる。歩幅は、キー操作部７０を通じて、ユーザーが予め計測した値を入力しておけばよい。また、歩幅は、例えば、ウォーキングの場合には使用者の身長×０．４５で、ランニングの場合には使用者の身長×０．５で、求めるようにしてもよい。なお、身長は、予め計測した値を、ユーザーが、キー操作部７０を通じて入力すればよい。
【００９３】
また、消費カロリに関しては、例えば、歩行における速度とエネルギー消費との関係から計算で求めることができる。図１０は、消費カロリを歩行における速度とエネルギー消費との関係より計算によって求める場合の計算式の例を説明するための図である。
【００９４】
図１０（１）式に示すように、エネルギー消費Ｅ（ｋｃａｌ／ｍｉｎ）は、体重Ｗ（ｋｇ）と、歩行速度Ｖ（ｍｉｌｅｓ／ｈ）とを用いた演算により求めることができる。図１０（１）式における歩行速度Ｖの単位を（ｍｉｌｅｓ／ｈ）から（ｋｍ／ｈ）にすると、図１０（２）式に示すように表すことができる。
【００９５】
そして、テンポｙ（回／ｍｉｎ）、時間ｘ（ｍｉｎ）の楽曲に合わせて歩行したとき、歩行速度Ｖは、図１０（３）式に示したように、係数０．０６と、テンポｙと、歩幅ｄ（ｍ）との積で表される。また、消費カロリＣ（ｋｃａｌ）は、図１０（４）式に示すように、エネルギー消費Ｅと、楽曲の再生時間ｘとの積で表すことができる。
【００９６】
そして、図１０（４）式に、図１０（２）式と図１０（３）式を代入すると、図１０（５）式に示すように、消費カロリＣは、体重Ｗと、楽曲のテンポｙと、歩幅ｄと、楽曲の再生時間ｘと、定数（０．０３）と係数（０．０００００４６８）とに基づいて算出することが可能となることがわかる。
【００９７】
例えば、体重５０ｋｇ、歩幅０．７ｍの使用者が、テンポ１２０回／ｍｉｎ、時間５分の楽曲に合わせて歩いたとすると、これらの値を図１０（５）式に代入すると、当該使用者の消費カロリは約１５ｋｃａｌと算出することができる。
【００９８】
なお、図１０（５）式に従って消費カロリＣを算出する場合には、使用者の体重Ｗも必要になるが、使用者の体重Ｗについても、キー操作部７０を通じてユーザーが事前に入力し、これを記憶保持するようにしておけばよい。すなわち、体重、身長、歩幅などの使用者の身体情報については、予め計測して求めたものを、キー操作部７０を通じて入力し、不揮発性メモリ１４に記憶保持させておき、これを用いるようにすればよい。
【００９９】
また、歩行における速度とエネルギー消費との関係は、例えば「基礎運動学 第６版」（医歯薬出版株式会社）などにおいても詳細に説明されている。ここでは、歩行と消費カロリとの関係を示す二次曲線から関係式が導き出されているが、当該二次曲線を一次曲線（直線）で近似し、この一次曲線に応じて定められる関係式に基づいて消費カロリＣを求めるようにしてもよい。
【０１００】
この他、消費カロリ（消費エネルギー）を算出する方法としては、１分間あたりの消費エネルギーに基づいて算出する方法や、運動ごとに定められる運動強度を示す値であるＭＥＴＳ（Metabolic Equivalents）値を用いて算出する方法などを用いて算出することが可能である。これらの方法については、例えば、特願２００５−３５２９４８などに詳細に説明されている。
【０１０１】
また、概略的には、使用者が行う運動が歩行（ウォーキング）の場合の消費カロリを、（０．５×体重×距離）なる式で求めるようにしたり、また、使用者が行う運動が走行（ランニング）の場合の消費カロリを、（１．０×体重×距離）なる式で求めるようにしたりしてもよい。もちろん、この他の理論や計算式を用いて消費カロリを算出して用いるようにしてもよい。また、消費カロリ、歩数、距離などの他に、脂肪燃焼量や運動継続時間などの他の情報を求めてフィットネス情報として表示するようにしてももちろんよい。
【０１０２】
なお、上述した実施の形態においては、選択可能な楽曲は、楽曲リスト表示領域４１ｃに横を時間、縦を平均テンポとして表した矩形によって示すようにしたがこれに限るものではない。例えば、楽曲毎に少なくとも平均テンポと再生時間とを関連付けて一覧表示し、選択できるようにしてもよい。例えば、平均テンポと再生時間との文字情報を一覧表示し、当該一覧表示から楽曲を選択するようにしてもよい。
【０１０３】
また、（１）選択可能な楽曲毎に、平均テンポと再生時間の積の総テンポが関連付けられた選択可能な楽曲の一覧リストから楽曲の選択を行うようにしたり、（２）選択可能な楽曲が、総テンポ数を面積とする矩形で表された選択可能な楽曲の一覧リストから楽曲の選択を行うようにしたりしてもよい。
【０１０４】
上記の（１）の場合には、例えば、総テンポを例えば少ない順に表示し、目的する総テンポにカーソルを位置付けると、楽曲名、アーティスト名、発売年などの情報が表示され、これを確認しながら、楽曲を選択することができるようにするものである。もちろん、この場合にも、曲名順、歌手名（アーティスト名）順、テンポ順などで並べ替えを行うことも可能である。
【０１０５】
また、上記（２）の場合には、図７〜図９に示した場合と同様に、選択可能な楽曲を総テンポ数に応じた面積の矩形によって表示するようにし、目的する矩形表示にカーソルを位置付けると、楽曲名、アーティスト名、発売年などの情報が表示され、これを確認しながら、楽曲を選択することができるようにするものである。もちろん、この場合にも、曲名順、歌手名（アーティスト名）順、テンポ順などで並べ替えを行うことも可能である。
【０１０６】
このように、選択可能な楽曲の一覧リストは、例えば従来のように、曲名、再生時間、平均テンポの文字情報を一覧表示するものから、総テンポ数を選択のための表示情報として用いるようにしたり、総テンポ数に応じた面積の矩形表示を選択のための表示情報として用いるようにしたりするなど、使用者が楽曲を選択するに当たり、着目すべき情報を表示するようにして、簡単かつ正確に楽曲の選択を行うようにすることができる。
【０１０７】
また、図５Ｂを用いて説明したように、選択した楽曲の一部分を用いるようにする場合には、再生する部分を指示する情報を、ユーザーが、テンポ曲線入力部３１などを通じて入力するようにすればよい。例えば、最初から５０％の部分を再生するようにしたい場合には、(０．０〜０．５)と入力し、最初から４０％の部分以降の６０％の部分を再生するようにしたい場合似は、（０．４〜１．０）と入力し、最初から２０％の部分以降の５０％の部分を再生するようにしたい場合には、（０．２〜０．７）と入力するなど、楽曲を選択すると共に、その選択した楽曲の再生する部分を指定するようにすればよい。もちろん、再生部分の指定は、上述のように割合による指定に限らず、時間を基準としたり、また、図形上で概念的に指示したりするなど、種々の入力方法を用いることが可能である。
【０１０８】
また、上述した実施の形態においては、携帯型の音響再生装置にこの発明を適用した場合を例にして説明したが、これに限るものではない。音楽再生装置を付加したフィットネス機器を含めて、運動負荷をコントロールするための楽曲リストと再生テンポ曲線を、直感的かつ簡易に対応付けて拡張プレイリストを作成する種々の機器にこの発明を適用することができる。従って、この発明は、携帯型音楽再生装置及び据え置き型音楽再生装置の両方に適用可能である。
【０１０９】
また、拡張プレイリストを生成する部分、すなわち、テンポ曲線を選択し、これに対応付けて楽曲を選択していくことにより、選択したテンポ曲線に応じて再生テンポや再生時間を調整した拡張プレイリストを生成する部分については、音響再生機能を備えない機器、例えば、パーソナルコンピュータや電子手帳などの携帯情報端末などにも適用可能である。
【０１１０】
図２にて示されている、再生リスト生成部１６、表示処理部４２、テンポコントロール部５１、音声処理部６２は、機能のブロックであるが、これをハードウェアで構成することで、当該一連の処理をハードウェアで実行させることができる。また、図６を用いて説明した処理を実行するプログラム・ソフトウェアを作成し、種々の電子機器に搭載することによって、この発明を種々の電子機器に搭載することができる。
【図面の簡単な説明】
【０１１１】
【図１】この発明の一実施の形態が適用された音響再生装置を説明するためのブロック図である。
【図２】図１に示したこの実施の形態の音響再生装置において、この発明に係る主要な機能を説明するためのブロック図である。
【図３】テンポ曲線ＤＢ２１に記憶保持されている、テンポ曲線の例を説明するための図である。
【図４】楽曲ＤＢ２２に記憶保持されているデータベースの内容を説明するための図である。
【図５】拡張プレイリストの一例を説明するための図である。
【図６】拡張プレイリストの作成時に行われる処理を説明するためのフローチャートである。
【図７】テンポ曲線の入力画面の一例を説明するための図である。
【図８】テンポ曲線の入力画面の一例を説明するための図である。
【図９】テンポ曲線の入力画面の他の例を説明するための図である。
【図１０】消費カロリの算出について説明するための図である。
【符号の説明】
【０１１２】
１０…制御部、１１…ＣＰＵ、１２…ＲＯＭ、１３…ＲＡＭ、１４…不揮発性メモリ、１５…ＣＰＵバス、１６…再生リスト生成部、２１…テンポ曲線データベース、２２…楽曲データベース、２３…拡張プレイリスト格納部、３１…テンポ曲線入力部、４０…表示装置部、４１…表示部、４２…表示処理部、５１…テンポコントロール部、６０…音声出力装置部、６１…スピーカ、６２…音声処理部、７０…キー操作部、８１…外部インターフェース、８２…入出力端子、８３…通信インターフェース、９０…操作部
【図１】
2007242215.tif 000003
【図２】
2007242215.tif 000004
【図３】
2007242215.tif 000005
【図４】
2007242215.tif 000006
【図５】
2007242215.tif 000007
【図６】
2007242215.tif 000008
【図７】
2007242215.tif 000009
【図８】
2007242215.tif 000010
【図９】
2007242215.tif 000011
【図１０】
2007242215.tif 000012